(57)【要約】【課題】ユーザの満足度が高い画像を記録する確率を高めること。【解決手段】撮像装置１は、撮像手段１０により取得された複数の画像データを記憶手段１２に逐次記憶させる記憶制御手段１１と、記憶手段１２に記憶された画像データを、撮像フレームレートより低い表示フレームレートで表示手段１４にスロー表示させる表示制御手段１１と、画像の記録を指示する指示手段１３と、スロー表示中に指示手段１３による指示が行われると、当該指示タイミングにおいて表示手段１４に表示されていた画像データが撮像手段１０により取得されたタイミング近傍の所定期間内に撮像手段１０により取得された複数の画像データの中から、所定の基準に基づいて少なくとも１枚以上の画像データを選択する選択手段１１と、選択手段１１により選択された画像データを記録媒体１５に記録する画像記録制御手段１１と、を備える。【選択図】図１
2014086817.tif 000002
【特許請求の範囲】
【請求項１】
所定の撮像フレームレートで画像データを取得する撮像手段と、
前記撮像手段により取得された複数の画像データを記憶手段に逐次記憶させる記憶制御手段と、
前記記憶手段に記憶された画像データを、前記撮像フレームレートより低い表示フレームレートで表示手段にスロー表示させる表示制御手段と、
画像の記録を指示する指示手段と、
前記スロー表示中に前記指示手段による指示が行われると、当該指示タイミングにおいて前記表示手段に表示されていた画像データが前記撮像手段により取得されたタイミング近傍の所定期間内に前記撮像手段により取得された複数の画像データの中から、所定の基準に基づいて少なくとも１枚以上の画像データを選択する選択手段と、
前記選択手段により選択された画像データを記録媒体に記録する画像記録制御手段と、
を備えることを特徴とする撮像装置。
【請求項２】
請求項１に記載の撮像装置において、
前記表示制御手段は、前記記憶制御手段により記憶された画像データを、前記撮像フレームレートより低い表示フレームレートで表示手段にスロー表示させる第１の表示モードと、前記撮像手段により取得された画像データを前記撮像フレームレートと同じ表示フレームレートで表示手段に表示させる第２の表示モードとを有し、
前記選択手段は、前記表示制御手段が前記第１の表示モードで動作している場合は、前記指示手段による指示タイミングにおいて前記表示手段に表示されていた画像データが前記撮像手段により取得されたタイミング近傍の所定期間内に前記撮像手段により取得された第１の枚数の画像データの中から、少なくとも１枚以上の画像データを選択し、前記表示制御手段が前記第２の表示モードで動作している場合は、前記指示手段による指示タイミング近傍の所定期間内に前記撮像手段により取得された第２の枚数の画像データの中から、少なくとも１枚以上の画像データを選択し、前記第１の枚数は前記第２の枚数よりも少ないことを特徴とする撮像装置。
【請求項３】
請求項１または２に記載の撮像装置において、
前記表示制御手段は、前記記憶制御手段により記憶された画像データを、前記撮像フレームレートより低い表示フレームレートで表示手段にスロー表示させる第１の表示モードと、前記撮像手段により取得された画像データを前記撮像フレームレートと同じ表示フレームレートで表示手段に表示させる第２の表示モードとを有し、
前記選択手段は、前記表示制御手段が前記第１の表示モードで動作している場合は、前記指示手段による指示タイミングにおいて前記表示手段に表示されていた画像データが前記撮像手段により取得されたタイミング近傍の所定期間内に前記撮像手段により取得された複数の画像データの中から、第３の枚数の画像データを選択し、前記表示制御手段が前記第２の表示モードで動作している場合は、前記指示手段による指示タイミング近傍の所定期間内に前記撮像手段により取得された複数の画像データの中から、第４の枚数の画像データを選択し、前記第３の枚数は前記第４の枚数よりも少ないことを特徴とする撮像装置。
【発明の詳細な説明】
【技術分野】
【０００１】
本発明は、撮像装置に関する。
【背景技術】
【０００２】
シャッターボタンが半押し操作されると、所定の撮像フレームレートで撮像素子に繰り返し撮像させ、バッファメモリに複数の画像を記憶し、記憶した複数の画像を撮像フレームレートよりも低いフレームレートで繰り返しスロー表示するスロー表示モードを有する撮像装置が知られている（特許文献１参照)。スロー表示モードでは、ユーザがスロー表示を見ながら所望のタイミングでシャッターボタンを全押し操作することで、当該操作時点でスロー表示されていた画像を記録することができる。このようなスロー表示モードは、動きの速い被写体であってもユーザが適切にシャッターチャンスを捉えることができるように設けられている。
【先行技術文献】
【特許文献】
【０００３】
【特許文献１】特許第４４４９９７３号公報
【発明の概要】
【発明が解決しようとする課題】
【０００４】
ところで、写真を評価する評価項目の例として、主要被写体の位置や、主要被写体（人物）の表情など、様々なものが挙げられる。そのため、写真撮影の際にユーザは、複数の評価項目を並列して観察しながらシャッターチャンスを狙わなければならない。しかし、上記従来技術では、複数の画像がスロー表示されていても、評価項目が複数あると、全ての評価項目を満足した写真を撮影することは困難である。そのため、ユーザの満足度が高い画像を、必ずしも撮影できないという問題があった。
【課題を解決するための手段】
【０００５】
本発明による撮像装置は、所定の撮像フレームレートで画像データを取得する撮像手段と、撮像手段により取得された複数の画像データを記憶手段に逐次記憶させる記憶制御手段と、記憶手段に記憶された画像データを、撮像フレームレートより低い表示フレームレートで表示手段にスロー表示させる表示制御手段と、画像の記録を指示する指示手段と、スロー表示中に指示手段による指示が行われると、当該指示タイミングにおいて表示手段に表示されていた画像データが撮像手段により取得されたタイミング近傍の所定期間内に撮像手段により取得された複数の画像データの中から、所定の基準に基づいて少なくとも１枚以上の画像データを選択する選択手段と、選択手段により選択された画像データを記録媒体に記録する画像記録制御手段と、を備えることを特徴とする。
【発明の効果】
【０００６】
本発明によれば、ユーザの満足度が高い画像を記録する確率を高めることができる。
【図面の簡単な説明】
【０００７】
【図１】本発明の一実施の形態による撮像装置の構成例を説明するブロック図である。
【図２】スロービューモードを説明する図である。
【図３】スロービューモードにおける処理の流れを説明するフローチャートである。
【発明を実施するための形態】
【０００８】
以下、図面を参照して、本発明による実施の形態について説明する。図１は、本発明を適用した撮像装置の構成を示す横断面図である。なお、本発明に係わる機器および装置以外のカメラの一般的な機器および装置については図示と説明を省略する。本実施形態の撮像装置では、レンズ鏡筒２がカメラボディ１に装着される。
【０００９】
レンズ鏡筒２は、交換可能であり、撮像レンズ２０を備える。撮像レンズ２０は、ズームレンズやフォーカシングレンズを含む複数のレンズ群で構成され、被写体像をカメラボディ１の撮像素子１０の受光面に結像させる。なお、図１を簡単にするため、撮像レンズ２０を単レンズとして図示している。
【００１０】
カメラボディ１は、撮像素子１０、制御部１１、バッファメモリ１２、シャッターボタン１３、および液晶モニタ１４を備える。また、カメラボディ１には、例えばメモリカードなどの記録媒体１５が着脱可能である。
【００１１】
撮像素子１０は、例えばＣＭＯＳなどのイメージセンサであり、撮像レンズ２０により結像した被写体像を撮像して、得られた画像信号を制御部１１へ出力する。
【００１２】
制御部１１は、ＣＰＵおよびその他の周辺回路等により構成され、カメラボディ１全体の制御を行う。制御部１１は、撮像素子１０から取得した画像信号から画像データを生成する。バッファメモリ１２は、撮像素子１０からの画像信号を基に取得される画像データを一時記憶するために使用される。
【００１３】
シャッターボタン１３は、半押し操作が行われると、半押し操作信号を制御部１１へ出力し、全押し操作が行われると、全押し操作信号を制御部１１へ出力する。
【００１４】
液晶モニタ１４は、撮像装置１の背面に設けられており、撮像素子１０で撮像された画像や各種設定メニューなどを表示する。なお、カメラボディ１には、不図示のＥＶＦ（電子ビューファインダ）が設けられていてもよい。
【００１５】
制御部１１は、撮影モードにおいて、撮像素子１０から時系列で取得した画像信号から表示用のフレーム画像データを生成して液晶モニタ１４に出力する。これによって液晶モニタ１４にはスルー画が表示される。また制御部１１は、シャッターボタン１３が全押し操作されると、撮像素子１０から取得した画像信号に対して所定の画像処理を行って静止画像データを生成し、ＪＰＥＧなどの所定の方式により圧縮処理を行って、記録媒体１５に記録する。また制御部１１は、再生モードにおいて、記録媒体１５に記録された静止画像データを読み出して再生し、液晶モニタ１４に表示する。なお、本実施形態では、記憶とはバッファメモリなどの揮発性の記録媒体に画像を保存することであり、記録とはメモリカードなどの不揮発性の記録媒体に画像を保存することとする。
【００１６】
本実施形態のカメラボディ１は、スロービューモードを有する。スロービューモードとは、シャッターボタンが半押し操作されると、撮像フレームレートよりも低い表示フレームレートでスルー画を表示するモードである。換言すれば、被写体を液晶モニタ１４にスロー表示する撮影モードである。スロービューモードでは、シャッターボタンが全押し操作されると、静止画データを記録媒体１５に記録することができる。以下、スルー画表示とスロー表示を区別するため、撮像フレームレートと同じ表示フレームレートで上記表示用のフレーム画像を液晶モニタ１４に表示することをスルー画表示、スロービューモードにおいて上記表示用のフレーム画像をスロー表示することを単にスロー表示と呼ぶ。また、スルー画表示を行うために、通常の表示フレームレート（撮像フレームレートと同じ表示フレームレート）で被写体を液晶モニタ１４に表示する処理をスルー画表示処理、通常の表示フレームレートより低い表示フレームレートで被写体を液晶モニタ１４に表示する処理をスロー表示処理と呼ぶ。
【００１７】
ここで、スロービューモードについて図２を用いて説明する。制御部１１は、ユーザの操作によりスロービューモードに設定されると、図２に示すように、撮像素子１０に所定の撮像フレームレートで被写体像を繰り返し撮像させる撮像処理を開始させる。制御部１１は、撮像処理により得られる複数の画像データを、バッファメモリ１２に逐次記憶していく。制御部１１は、バッファメモリ１２に逐次記憶された複数の画像データのフレーム画像を再生して液晶モニタ１４にスルー画表示する。ユーザは、スルー画を確認しながら、撮影タイミングを待つ。
【００１８】
ここで、撮影タイミングが近づいたとユーザが判断し、シャッターボタンを半押し操作したとする。すると、制御部１４は、半押し操作時点で取得した画像データに基づいてＡＦ（自動焦点調節）処理、ＡＥ（自動露出演算）処理、およびＡＷＢ（自動ホワイトバランス調整）処理を実行する。制御部１４は、これらの処理後、焦点調節状態を固定するＡＦロック、露出を固定するＡＥロック、およびホワイトバランスを固定するＡＷＢロックを行う。
【００１９】
シャッターボタン１３が半押しされると、制御部１１は、バッファメモリ１２に逐次記憶された画像データのフレーム画像を、撮像フレームレートよりも低い表示フレームレートで液晶モニタ１４に表示していく（すなわちスロー表示していく）。
【００２０】
制御部１１は、シャッターボタンの半押し操作時点から所定時間分の画像データの記憶が完了するとバッファメモリ１２への書き込みを停止し、当該所定時間分の画像データをバッファメモリ１２に保持しておく。なお、所定時間とは、例えば、所定の撮像フレームレートで画像データを取得したときに、バッファメモリ１２に記憶可能な最大データ量に達するまでの時間である。
【００２１】
また制御部１１は、バッファメモリ１２に記憶した所定時間分の画像データのフレーム画像のスロー表示が終了すると、再度、バッファメモリ１２から所定時間分の画像データのフレーム画像を順に読み出してスロー表示させる。すなわち、制御部１１は、バッファメモリ１２に保持されている所定時間分のフレーム画像のスロー表示を繰り返し行う（すなわちリピート表示する）。
【００２２】
このようにスロービューモードでは、被写体像をスロー表示することで、動きの速い被写体であってもユーザが適切にシャッターチャンスを狙うことができる。
【００２３】
ところで、写真（画像）を評価する評価項目には、主要被写体の位置や主要被写体（人物）の表情など様々なものが挙げられる。例えば、陸上競技において、ユーザの撮影したい写真が、主要被写体であるランナーがゴールする瞬間であるとする。ランナーがゴールする一瞬を撮影しようとするとき、ランナーがゴールテープを切る位置でランナーの表情を捉え、かつ、ランナーの表情が的確である写真が、ユーザにとって撮影したい一瞬であると考えられる。ここで、ランナーの表情が的確であるとは、目つぶりがないことなどが挙げられる。また、この他にも重要度の高い評価項目として、ピンボケやブレ、露出オーバーや露出アンダーなどがないことが挙げられる。さらにこれら評価項目の重要度は、ユーザによって異なるものと考えられる。
【００２４】
このように評価項目が複数あると、被写体像がスロー表示されていても、複数の評価項目を並列して観察しながらシャッターチャンスを狙わなければならず、全ての評価項目を満足する写真を撮影することは難しい。したがって、シャッターボタン１３を全押し操作された時点で液晶モニタ１４に表示されていたフレーム画像に対応する１つの静止画データのみを記録すると、例えばランナーがゴールテープを切る瞬間は捉えられたが、ランナーが目をつぶっているなど、一部の評価項目を満足しない写真が記録されてしまう可能性がある。
【００２５】
そこで本実施形態の制御部１１は、シャッターボタン１３の全押し操作が行われると、当該全押し操作の前後でスロー表示される所定枚数のフレーム画像に対応する画像データをバッファメモリ１２から読み出す。具体的には、シャッターボタン１３の全押し操作の前後５枚、すなわち計１０枚のフレーム画像に対応する画像データをバッファメモリ１２から読み出す。なお、シャッターボタン１３の全押し操作の前後５枚とは、当該全押し操作時点で表示されていたフレーム画像に対応する画像データとその前に撮像された４枚の画像データ、および当該全押し操作時点で表示されていたフレーム画像に対応する画像データの後に撮像された５枚の画像データである。すなわち、シャッターボタン１３の全押し操作時点で表示されていたフレーム画像に対応する画像データが撮像素子１０により取得されたタイミング近傍の所定期間内に撮像素子１０により取得された１０枚の画像データである。そして制御部１１は、読み出した１０枚の画像データの中から、所定の選択基準に基づいて複数の画像データを選択する選択処理を実行する。なお、バッファメモリ１２から読み出す画像データは、全押し操作前後の所定時間内にスロー表示されるフレーム画像に対応する画像データでもよい。例えば、全押し操作前の１秒間にスロー表示されたフレーム画像に対応する画像データと、全押し操作後の１秒間にスロー表示されるフレーム画像に対応する画像データをバッファメモリ１２から読み出す。換言すれば、全押し操作時点を基準とした前後１秒間、すなわち計２秒間にスロー表示されるフレーム画像に対応する画像データをバッファメモリ１２から読み出す。
【００２６】
選択処理では、例えば、バッファメモリ１２から読み出した１０枚の画像データの中から、所定の選択基準に基づいて画像データを３枚選択する。所定の選択基準とは、例えば目つぶりがないことや、ピンボケや像振れ、露出オーバーや露出アンダーがないことなどであり、制御部１１は、公知の目つぶり検出処理や振れ検出処理などの検出結果に基づいて３枚の画像データを選択する。
【００２７】
そして制御部１１は、選択処理によって選択された３枚の画像データを記録媒体１５に記録すると共に、液晶モニタ１４に表示する。なお、制御部１１は、３枚の画像データのうち最良画像であると判断した１枚を、代表画像として液晶モニタ１４に表示するようにしてもよい。制御部１１は、最良画像であると判断した１枚が代表画像であるという情報を、画像データに付加して記録媒体１５に記録してもよい。
【００２８】
このようにスロービューモードでは、シャッターボタン１３の全押し操作に応じて選択処理を実行することで、例えば目つぶりや像振れがない画像を記録することができる。したがって、例えば、陸上競技を撮影する際、ユーザは、ライブビュー画像のスロー表示を見ながらランナーがゴールテープを切る瞬間を平易に捉えることができるとともに、カメラボディ１は選択処理によって当該瞬間の前後の限られた時間の中からランナーの表情等が最適なものを選択して記録することができ、評価項目をより多く満足した写真を撮影することができる。また、ユーザは一番重要視したいこと１点に集中して撮影を行うことができるため、撮影行為を簡易化することもできる。なお、選択された３枚の画像データの中から、ユーザが最良と考える画像データを選択できるようしてもよい。また、ユーザが選択した画像データのみを記録するようにしてもよい。
【００２９】
ここで、上述したスロービューモードにおいて制御部１１が実行する処理の流れについて、図３に示すフローチャートを用いて説明する。制御部１１は、不図示の操作ボタンの操作によりスロービューモードに設定されると、図３に示す処理を開始する。ステップＳ１において、制御部１１は、撮像素子１０に所定の撮像フレームレート（たとえば３０ｆｐｓ）で被写体像を撮像させる撮像処理を開始する。そして制御部１１は、撮像処理により順次得られたフレーム画像を、当該撮像フレームレートと同じ表示フレームレートで再生して液晶モニタ１４に表示するスルー画表示処理を開始して、ステップＳ２へ進む。
【００３０】
ステップＳ２において、制御部１１は、シャッターボタン１３が半押し操作されたか否かを判定する。シャッターボタン１３から半押し操作信号が入力されない場合には、ステップＳ２を否定判定してステップＳ１に戻り、スルー画表示処理を継続する。一方、シャッターボタン１３から半押し操作信号が入力された場合には、制御部１１は、ステップＳ２を肯定判定してスルー画表示処理を終了し、ステップＳ３へ進む。
【００３１】
ステップＳ３において、制御部１１は、撮像レンズ２０のＡＦ（自動焦点調節）処理を行ってステップＳ４へ進む。
【００３２】
ステップＳ４において、制御部１１は、シャッターボタン１３の半押し操作時点から所定時間分の画像データをバッファメモリ１２に記憶する処理を開始して、ステップＳ５へ進む。
【００３３】
ステップＳ５において、制御部１１は、バッファメモリ１２に記憶された画像データのフレーム画像を、撮像フレームレートよりも低い表示フレームレートで表示するスロー表示処理を開始して、ステップＳ６へ進む。
【００３４】
ステップＳ６において、制御部１１は、シャッターボタン１３が全押し操作されたか否かを判定する。シャッターボタン１３から全押し操作信号が入力されない場合には、制御部１１は、ステップＳ６を否定判定してステップＳ９へ進む。一方、シャッターボタン１３から全押し操作信号が入力された場合には、制御部１１は、ステップＳ６を肯定判定してステップＳ７へ進む。
【００３５】
ステップＳ７において、制御部１１は、シャッターボタン１３の全押し操作時点で液晶モニタ１４に表示されていたフレーム画像に対応する画像データとその前後所定枚数の画像データをバッファメモリ１２から読み出す。そして制御部１１は、読み出した画像データに対して上述した選択処理を実行して、ステップＳ８へ進む。
【００３６】
ステップＳ８において、制御部１１は、ステップＳ７の選択処理によって選択された３枚の画像データを記録媒体１５に記録すると共に、液晶モニタ１４に表示する。そして制御部１１は、スロー表示処理を終了してステップＳ１に戻り、スルー画表示処理を再開する。
【００３７】
なお、シャッターボタン１３の全押し操作が行われないことによりステップＳ６を否定判定して進むステップＳ９において、制御部１１は、シャッターボタン１３の半押し操作が解除されたか否かを判定する。シャッターボタン１３の半押し操作が解除された場合には、制御部１１は、ステップＳ９を肯定判定してスロー表示処理を終了し、ステップＳ１に戻ってスルー画表示処理を再開する。一方、シャッターボタン１３の半押し操作が解除されていない場合には、制御部１１は、ステップＳ９を否定判定して、ステップＳ５へ戻り、スロー表示処理を継続する。
【００３８】
また、本実施形態のカメラボディ１は、スルー画表示モードにおいても選択処理を実行するように構成されている。スルー画表示モードとは、液晶モニタ１４において常にスルー画表示処理を行う撮影モードである。ここで、スルー画表示モードにおいて制御部１１が実行する処理の流れを説明する。制御部１１は、不図示の操作ボタンの操作によりスルー画表示モードに設定されると、撮像素子１０に所定の撮像フレームレート（たとえば３０ｆｐｓ）で被写体像を撮像させる撮像処理を開始する。そして制御部１１は、撮像処理により順次得られた画像データのフレーム画像を、当該撮像フレームレートと同じ表示フレームレートで再生して液晶モニタ１４に表示するスルー画表示処理を開始する。
【００３９】
その後、シャッターボタン１３から半押し操作信号が入力されると、制御部１１は、撮像レンズ２０のＡＦ処理を行う。そして制御部１１は、撮像素子１０により撮像される画像データを、逐次バッファメモリ１２へ一時記憶していく。なお、上述したスロービューモードとは異なり、スルー画表示モードでは、画像データの最新の所定時間分を一時記憶し、古いフレーム画像データから順に上書き消去する。
【００４０】
シャッターボタン１３から全押し操作信号が入力されると、制御部１１は、その後１０枚分の画像データをバッファメモリ１２に記憶させる。そして制御部１１は、バッファメモリ１２からシャッターボタン１３の全押し操作前後１０枚、すなわち計２０枚の画像データを読み出し、このフレーム画像データの中から上述した選択処理を実行する。制御部１１は、選択処理によって選択された５枚の画像を記録媒体１５に記録すると共に、液晶モニタ１４に表示する。
【００４１】
このようにスルー画表示モードでも選択処理を行うことにより、例えば目つぶりやピンボケ、像ぶれがない画像を記録することができる。しかしながら、スルー画表示モードにおいて、選択処理の選択対象である２０枚の画像は、撮像フレームレートが３０ｆｐｓである場合、約０．７秒間に撮像された画像であり、必ずしも十分ではない。そこで、選択処理における選択対象の画像の枚数を増やすことも考えられるが、そうすると、ユーザが真に撮影したい瞬間を逃してしまう確率が高くなってしまう。また、選択対象の画像の枚数が多いほど、制御部１１の負荷が増えると共に、選択処理にかかる処理時間が増えてしまう。
【００４２】
これに対して、上述したスロービューモードでは、被写体像をスロー表示することにより、ユーザが撮影タイミングを平易につかみやすくなっているため、選択処理における選択対象の画像の枚数が少なくても、ユーザが真に撮影したい瞬間の画像を取得することができる。したがって、選択処理における選択対象の画像の枚数を、スロービューモードでは１０枚とし、スルー画表示モードの２０枚よりも少なくするようにした。これにより、スロービューモードでは、スルー画表示モードよりも、制御部１１の負荷を軽減すると共に、選択処理の処理時間を短縮することができる。
【００４３】
また、スロービューモードではユーザが撮影タイミングを捉えやすくなっているので、選択処理において選択する画像の枚数が少なくても、ユーザが真に撮影したい瞬間の画像を取得することができる。したがって、選択処理で選択する選択枚数を、スロービューモードでは３枚とし、スルー画表示モードの５枚よりも少なくするようにした。これにより、スロービューモードではスルー画表示モードよりも記録媒体１５の容量を節約することができる。また、スロービューモードでは、カメラが選択した画像の中から、ユーザが最良と考える画像を選ぶ作業を、スルー画表示モードと比べて簡単にすることもできる。
【００４４】
以上説明した実施形態によれば、次の作用効果が得られる。
（１）撮像装置は、所定の撮像フレームレートで画像データを取得する撮像素子１０と、撮像素子１０により取得された複数の画像データをバッファメモリ１２に逐次記憶させる制御部１１と、バッファメモリ１２に記憶された画像データのフレーム画像を、撮像フレームレートより低い表示フレームレートで液晶モニタ１４にスロー表示させる制御部１１と、画像の記録を指示するシャッターボタン１３と、スロー表示中にシャッターボタン１３の全押し操作が行われると、当該操作タイミングにおいて液晶モニタ１４に表示されていたフレーム画像に対応する画像データが撮像素子１０により取得されたタイミング近傍の所定期間内に撮像素子１０により取得された１０枚の画像データの中から、所定の基準に基づいて３枚の画像データを選択する制御部１１と、当該選択された画像データを記録媒体１５に記録する制御部と、を備える。これにより、ユーザの満足度が高い画像を記録する確率を高めることができる。
【００４５】
（２）上記（１）の撮像装置において、制御部１１は、スロービューモードで動作している場合は、シャッターボタン１３の全押し操作タイミングにおいて液晶モニタ１４に表示されていたフレーム画像に対応する画像データが撮像素子１０により取得されたタイミング近傍の所定期間内に撮像素子１０により取得された第１の枚数（１０枚）の画像データの中から画像データを選択し、スルー画表示モードで動作している場合は、シャッターボタン１３の全押し操作タイミング近傍の所定期間内に撮像素子１０により取得された第２の枚数（２０枚）の画像データの中から画像データを選択し、第１の枚数（１０枚）は第２の枚数（２０枚）よりも少ないように構成した。これにより、スロービューモードではスルー画表示モードと比べて、制御部１１の負荷を軽減できるとともに、画像データの選択処理にかかる時間を短縮することができる。
【００４６】
（３）上記（１）または（２）の撮像装置において、制御部１１は、スロービューモードで動作している場合は、シャッターボタン１３の全押し操作タイミングにおいて液晶モニタ１４に表示されていたフレーム画像に対応する画像データが撮像素子１０により取得されたタイミング近傍の所定期間内に撮像素子１０により取得された複数の画像データの中から第３の枚数（３枚）の画像データを選択し、スルー画表示モードで動作している場合は、シャッターボタン１３の全押し操作タイミング近傍の所定期間内に撮像素子１０により取得された複数の画像データの中から第４の枚数（５枚）の画像データを選択し、第３の枚数（３枚）は第４の枚数（５枚）よりも少ないように構成した。これにより、スロービューモードでは、スルー画表示モードと比べて、記録媒体１５の容量を節約できる。また、カメラが選択した画像の中から、ユーザが最良と考える画像を選ぶ作業を平易化することができる。
【００４７】
（変形例１）
上述した実施の形態では、シャッターボタン１３の全押し操作の前後に表示される画像を、選択処理における選択対象の画像とする例について説明した。しかしながら、シャッターボタン１３の全押し操作時点の直前に表示された画像のみを、選択処理の選択対象の画像とするようにしてもよい。
【００４８】
（変形例２）
上述した実施の形態では、選択処理における選択対象の画像の枚数を、スロービューモードでは１０枚とし、スルー画表示モードでは２０枚とする例について述べた。しかしながら、スロービューモードおよびスルー画表示モードでの選択処理における選択対象の画像の枚数は少なくとも２枚以上であればよい。また、スロービューモードおよびスルー画表示モードにおける当該選択対象の画像の枚数を同じとしてもよい。
【００４９】
（変形例３）
上述した実施の形態では、選択処理で選択する選択枚数を、スロービューモードでは３枚とし、スルー画表示モードでは５枚とする例について述べた。しかしながら、スロービューモードおよびスルー画表示モードにおける選択処理で選択する選択枚数は少なくとも１枚以上であればよい。また、スロービューモードおよびスルー画表示モードにおける当該選択枚数を同じとしてもよい。
【００５０】
（変形例４）
上述した実施の形態では、選択処理で選択された画像データを記録していたが、記録する画像データをユーザに選ばせてもよい。例えば、制御部１１が選択処理により３枚の画像を選択し、液晶モニタ１４に表示する。ユーザは、液晶モニタ１４に表示された３枚の画像の中から記録する画像を選択する。ユーザが選択する画像は１枚であっても複数であってもよい。
【００５１】
（変形例５）
上述した実施の形態では、ユーザの操作によりスロービューモードに設定されると、撮像処理により得られる画像データを、バッファメモリ１２に逐次記憶していく例について説明した。これに限らず、シャッターボタンが半押し操作された時点から、撮像処理により逐次得られる複数の画像データを、バッファメモリ１２に逐次記憶していくようにしてもよい。
【００５２】
（変形例６）
上述した実施の形態では、シャッターボタンを全押し操作すると、記録用画像を記録してスロー表示処理を終了した。これに限らず、スロー表示処理を継続し、シャッターボタンの全押し操作が複数回できるようにしてもよい。そして、シャッターボタンが全押し操作される毎に、選択処理により記録する画像データを選択するようにしてもよい。もしくは、シャッターボタンが全押し操作された時点で表示部１８に表示していたフレーム画像に対応する画像データを記録用画像として記録媒体１５に記録するようにしてもよい。この場合、バッファメモリ１２に記憶された画像データが全てスロー表示されたときにスロー表示処理を終了するようにしてもよい。またリピート再生される場合は、スロー表示を終了する操作を別に設けるようにすればよい。
【００５３】
（変形例７）
上述した実施の形態では、スロービューモードにおいて、シャッターボタン１３の全押し操作時点の前後にスロー表示される所定枚数の画像を、選択処理における選択対象の画像とする例について説明した。しかしながら、選択処理における選択対象の画像は、スロー表示される画像に限らなくてもよい。例えば、撮像素子１０により取得されバッファメモリ１２に記憶された画像データの中から間引きしてスロー表示を行う場合には、間引きされた（すなわちスロー表示されなかった）画像データを選択処理における選択対象の画像に含めるようにしてもよい。すなわち、シャッターボタン１３の全押し操作時点で表示されていた画像の撮像タイミング近傍の所定期間内に撮像された複数の画像（スロー表示された画像と間引きされてスロー表示されなかった画像とを両方含む）を選択処理における選択対象の画像とするようにしてもよい。
【００５４】
以上の説明はあくまで一例であり、上記の実施形態の構成に何ら限定されるものではない。また、上記実施形態に各変形例の構成を適宜組み合わせてもかまわない。
【符号の説明】
【００５５】
１…カメラボディ、２…レンズ鏡筒、１０…撮像素子、１１…制御部、１２…バッファメモリ、１３…シャッターボタン、１４…液晶モニタ、１５…記録媒体、２０…撮像レンズ
【図１】
2014086817.tif 000003
【図２】
2014086817.tif 000004
【図３】
2014086817.tif 000005